【事件の表示】
　特願２００３−　７７８１５「インクカートリッジおよびインクカートリッジホルダ」拒絶査定不服審判事件〔平成１５年１２月　３日出願公開、特開２００３−３４１１００号〕についてした平成２０年９月１６日付けの審決に対し、知的財産高等裁判所において審決取消の判決（平成２０年（行ケ）第１０４０５号、平成２１年９月１日判決言渡）があったので、さらに審理の結果、次のとおり審決する。
【結　論】
　本件審判の請求は、成り立たない。
【理　由】
第１　手続の経緯　
　本願は、平成１５年３月２０日（優先権主張平成１４年３月２０日）の出願であり、平成１７年９月２８日及び平成１８年２月１０日に手続補正がなされ、平成１８年３月２日付けで拒絶査定がなされ、これに対して、同年４月５日に拒絶査定不服審判（以下「本件審判」という。）が請求されるとともに、同年４月２５日に手続補正がなされたものであって、
　本件審判についてされた平成２０年９月１６日付け審決に対し、知的財産高等裁判所において審決取消の判決（平成２０年（行ケ）第１０４０５号，平成２１年９月１日判決言渡し）があったので、さらに審理され、
　当審において、平成１８年４月２５日付け手続補正が平成２１年１０月１５日付けで却下され、同日付けで拒絶の理由（以下「当審拒絶理由」という。）が通知され、同年１２月１８日に手続補正がなされたものである。
　
第２　本願発明
　本願の請求項１ないし５に係る発明は、平成２１年１２月１８日付け手続補正によって補正された明細書及び図面の記載からみて、その特許請求の範囲の請求項１ないし５に記載された事項によって特定されるものであると認められるところ、請求項１に係る発明（以下「本願発明」という。）は、次のとおりのものである。
　
「記録装置に供給するインクを収容し、第１の壁と該第１の壁と交差する前壁を有するインクカートリッジ本体と、
　前記インクカートリッジ本体の前記第１の壁の一部に設けられ、記憶素子と電気的に接続した少なくとも１つの接続電極を含む接続電極部と、
　前記前壁に設けられ、前記記録装置のインク供給針が挿入される１つだけのインク供給口と、を備え、
　前記前壁側からみたとき、前記前壁は、前記第１の壁に平行で且つ前記インクカートリッジの挿入方向に垂直な面に平行な第１の方向に沿った一対の長辺と、前記第１の方向に垂直な第２の方向に沿った一対の短辺と、を有しており、
　前記第１の壁は、前記前壁の一対の長辺のうち一方と交差してなる、インクカートリッジであって、
　前記前壁上に配置され、前記記録装置の位置決め部材に沿って前記インクカートリッジを案内する位置決め部を備え、
　前記位置決め部は、前記記録装置の位置決め部材が挿入可能であり、前記接続電極部と略平行な方向で且つ前記記録装置の位置決め部材が前記接続電極部と対向するように前記インクカートリッジを案内可能に形成されており、
　前記位置決め部は、前記第１の方向及び前記第２の方向の規制を行うことができる形状であり、
　前記位置決め部は、前記インク供給部に対して前記一対の短辺のうち一方の短辺の側に設けられており、
　前記接続電極部は、前記第１の壁のうち、前記位置決め部の近傍の部分に前記第１の壁に平行な面上に設けられており、
　前記第１の壁に対して垂直方向から見たときに、前記位置決め部の中心軸は、前記接続電極部の幅内にあることを特徴とするインクカートリッジ。」
　
第３　刊行物の記載事項　
１　当審拒絶理由に引用した本願の優先日前の平成３年３月２２日に頒布された刊行物である特開平３−６７６５７号公報（以下「引用例１」という。）には、図とともに次の事項が記載されている。
（１）「２．特許請求の範囲
（１）インクの吐出を生起させて画像の記録を行う記録ヘッドを備えたインクジェット記録装置に対して交換可能に設けられ、前記インクを内部に収容するとともに前記インクの吐出に応じて前記インクの供給を行うインクカートリッジにおいて、
前記記録ヘッドの駆動条件を制御するための情報を備えた媒体を具備することを特徴とするインクカートリッジ。
…略…
（１２）前記電子的な情報媒体は、電子メモリーによって与えられるものであることを特徴とする請求項８に記載のインクカートリッジ。」（１頁左下欄５行〜２頁右上欄１行）
（２）「［実施態様例１］
　第３図は本発明に係るインクジェット記録装置に対して着脱可能とされるインクカートリッジ５１と、該インクカートリッジ５１に接続され
インクジェット記録装置にインクを供給する
　第３図中１２はインクカートリッジ５１の外装たる筐体であり、通常プラスチックのモールド成型にて
インクジェット記録装置本体
　
１３はインクを収容するための密閉型のインク収容容器であり、本例においては可撓性のインク袋を用いており、内部にインクが封入収容されている。１５はシリコーンゴムなどの弾性材料からなるインク供給部である。このインク供給部は、インク袋とインク導出管１５ａを介して接続されており、インクカートリッジ５１とインクジェット記録装置が接続されたときインクジェット記録装置本体の接続装置５２に設置された中空のインク針１６が差し込まれてインク袋内のインクをインクジェット記録装置内に供給する部分となる
　また、インクの記録ヘッドへの充填あるいは記録ヘッドの回復操作等でインクジェット記録ヘッドから強制的に排出されたインクは、インクジェット記録装置本体に設置された廃インク回収用チューブ１６ａ、１６ｂを通り、該インクカートリッジ外装に設けられた穴１７を介して廃インク溜め１８に送り込まれる。１９は、インクカートリッジ内のインクの種別を示す情報を持った媒体である。本実施態様例で使用されでいる媒体は、抵抗体（０乃至∞Ωの中から選択される所定の抵抗値を有する。）である。１９ａ，１９ｂは、媒体とインクジェット記録装置本体とを電気的に接続させるための該インクカートリッジ側に設けられた端子である。この端子１９ａ，１９ｂは、インクカートリッジと、インクジェット記録装置本体が完全に接続されたとき、インクジェット記録装置本体に用意されたピン端子２０ａ、２０ｂと電気的に接続される。該ピン端子は、インクジェット記録装置本体内の制御回路に電気的に接続されており、該制御回路は該素子の情報を電気的に自由に読み取ることができる。」（５頁左下欄１７行〜６頁右上欄１行）
（３）「［実施態様例２］
　実施態様例１では、情報媒体として抵抗体のような単純な素子を示したが、本発明では、他の例として半導体を使用することが出来る。
第６図はインクカートリッジ内の情報媒体として電気的に消去可能な読み出し専用半導体メモリーアレイを備えた本発明の実施例
２１は、インクカートリッジ本体であり、インクの貯留部、廃インク溜り、キャップ等の構造は、第３図
に示したインクカートリッジと機能、構造とも同じものである。２２は、半導体メモリーアレイである
２３は基板であり、インクカートリッジの外装部に精度よく取り付けられている。該基板は該メモリーアレイを固定し、かつ該メモリーアレイとインクジェット記録装置２４に用意されたコネクター２５とを電気的に接続するための端子部２６を有する
第６図で示すように、該インクカートリッジ本体が、インクジェット記録装置２４のインクカートリッジ受入部２７に挿入されたとき該コネクター２５と該端子部２６は、電気的に接続が達成される。
（４）「第９図は、着脱できる情報媒体が第６図にて前述したようなメモリーアレイを採用したインクカートリッジの例である。図中
３０はＲＯＭ、ＥＥＰＲＯＭ、バッテリーバックアツプＲＡＭなどの半導体メモリーアレイチップ
３４はインクジェット記録装置本体と前記メモリーアレイとを電気的に接続させるための端子
（５）第３図、第６図及び第９図から、インクの貯留部、廃インク溜り、キャップ等の構造は、機能、構造とも同じであるインクカートリッジ本体（５１、２１及び第９図のもの）について、次のアないしウが見て取れる。
　ア　インクカートリッジ本体（５１、２１）の外装たる筐体（１２）は、インクカートリッジ挿入方向先端面となる略長方形の前壁と、該前壁に平行な略長方形の後壁と、前記前壁及び後壁の上長辺を介して前記前壁及び後壁と交差する上壁と、前記前壁及び後壁の下長辺を介して前記前壁及び後壁と交差し且つ前記上壁に平行な下壁と、前記前壁及び後壁の短辺を介して前記前壁及び後壁と交差しかつ前記上壁及び下壁とも交差する互いに平行な２つの側壁から構成されていること。
　イ　インクカートリッジ本体（５１、２１）は、外装たる筐体（１２）の内部にインクが封入収容されている可撓性のインク袋（１３）が収容され、該インク袋（１３）とインク導出管（１５ａ）を介して接続されているインク供給部（１５）が１つだけ前記前壁に設けられ、インクカートリッジ本体（５１、２１）とインクジェット記録装置が接続されたときインクジェット記録装置本体の接続装置５２に設置された中空のインク針（１６）が差し込まれてインクをインクジェット記録装置内に供給できるように、前記インク供給部（１５）と前記インク針（１６）とが対向する位置に配置されていること。
　ウ　半導体メモリーアレイ（２２、３０）とインクジェット記録装置本体（２４）に用意されたコネクター（２５）とを電気的に接続させるための端子部（２６、３４）が、インクカートリッジの外装部の上壁に精度よく取りつけられている前記メモリーアレイ（２２）を固定した基板（２３）の上面に（第６図の２６参照。）、又はインクカートリッジの外装部の前記上壁の上面に（第９図の３４参照。）設けられ、該端子部（２６、３４）は、前記上壁上の前後方向の中央よりも前側であって前記上壁上の前記後壁及び前記前壁の長手方向の中央よりも一方の端部側に位置する一部の場所に位置しており、かつ、前記基板の上面及び前記上壁の上面はいずれも前記上壁に平行であること。
（６）上記（１）ないし（５）から、引用例１には、次の発明（以下「引用発明１」という。）が記載されているものと認められる。
「インクカートリッジ挿入方向先端面となる略長方形の前壁と、該前壁に平行な略長方形の後壁と、前記前壁及び後壁の上長辺を介して前記前壁及び後壁と交差する上壁と、前記前壁及び後壁の下長辺を介して前記前壁及び後壁と交差し且つ前記上壁に平行な下壁と、前記前壁及び後壁の短辺を介して前記前壁及び後壁と交差しかつ前記上壁及び下壁とも交差する互いに平行な２つの側壁から構成されている外装たる筐体を有し、該筐体の内部にインクが封入収容されている可撓性のインク袋が収容され、該インク袋とインク導出管を介して接続されているインク供給部が１つだけ前記前壁に設けられ、インクジェット記録装置本体に接続されたときインクジェット記録装置本体に設置されたインク針が差し込まれてインクをインクジェット記録装置内に供給できるように、前記インク供給部が前記インク針に対向する位置に配置されているインクカートリッジ本体と、
　前記インクカートリッジ本体の筐体の上壁の上面又は該上壁に取りつけられた基板の上面であって、該上壁に平行な面に設けられ、前記上壁上の前後方向の中央よりも前側であって前記上壁上の前記後壁及び前記前壁の長手方向の中央よりも一方の端部側に位置する一部の場所に位置し、半導体メモリーアレイとインクジェット記録装置本体に用意されたコネクターとを電気的に接続させるための端子部と、
　を備え、
　前記インクカートリッジ本体が前記インクジェット記録装置本体のインクカートリッジ受入部に挿入されたとき、前記コネクターと前記端子部との電気的接続が達成されるインクカートリッジ。」
　
２　当審拒絶理由に引用した本願の優先日前の平成５年１月２６日に頒布された刊行物である特開平５−１６３７８号公報（以下「引用例２」という。）には、図とともに次の事項が記載されている。
（１）「【請求項１】  ノズルよりインク滴を吐出して記録紙に記録を行うインクジェット記録装置に用いられるインクカートリッジにおいて、インクジェット記録装置の
位置決め軸・ガイド軸に係合する位置決め穴・ガイド穴が、インクカートリッジのインク取出口と同一面に設けられている
【請求項２】  ノズルよりインク滴を吐出して記録紙に記録を行うインクジェット記録装置に用いられるインクカートリッジにおいて、インクを封入された可撓性のインク袋と、前記インク袋に付属したインク取出口と、前記インク袋が固着されるケースと、前記インク袋に固着されインクジェット記録装置のインクエンド検出器を動作させる検出突起が設けられた検出板と、前記ケースを覆う蓋と、前記ケースと前記蓋にまたがり貼付されるラベルと、インクジェット記録装置の溝に案内される前記ケースに付属した機能リブとから構成されることを特徴とする請求項１記載のインクカートリッジ。
【請求項３】  前記位置決め軸・前記ガイド軸と前記位置決め穴・前記ガイド穴の
係合が、
インクカートリッジの位置決めになっている
【請求項４】  ノズルよりインク滴を吐出して記録紙に記録を行うインクジェット記録装置に用いられるインクカートリッジにおいて、インクを封入された可撓性のインク袋と、前記インク袋に付属したインク取出口と、前記インク袋が固着されるケースと、前記インク袋に固着されインクジェット記録装置のインクエンド検出器を動作させる検出突起が設けられた検出板と、前記ケースを覆う蓋とから構成され、前記検出板の姿勢が略重力方向になるようにインクカートリッジがインクジェット記録装置に保持され、前記検出突起がインクカートリッジの下側（重力方向）に位置することを特徴とするインクカートリッジ。」
（２）「【０００６】
【発明が解決しようとする課題】前述の提案例を評価したところ、
ホルダー９の内部に設けた供給針１５に対するインク取出口２の位置精度は、針座フレーム（不図示）に対する供給針１５の位置精度と、左右のフレーム１０に対する針座フレームの位置精度と、左右のフレーム１０のインクジェット記録装置に固定される互いの位置精度と、左右のフレーム１０に対するケース４の位置精度と、ケース４とインク取出口２の位置精度に影響される。したがって、多くの部品の部品精度と組立精度を厳しくしなければならず、部品コストと組立コストが安価にならないという問題点を有していた
【０００７】そこで、本発明は上記のような問題を解決するもので、その目的とするところは、供給針１５に対するインク取出口２の
位置精度に関係する部品数を極力減らし、関係する部品においてもラフな位置精度ですむ
【０００８】
【課題を解決するための手段】本発明のインクカートリッジは、インクジェット記録装置の
位置決め軸・ガイド軸に係合する位置決め穴・ガイド穴が、インクカートリッジのインク取出口と同一面に設けられている
（３）「【００１０】
【実施例】本発明のインクカートリッジを図１〜図４によって説明する。図１は本発明のインクカートリッジを示す概略斜視図である。図２はインク取出口の舟型形状を示す図１のＡ−Ａ´断面の断面図である。図３はインク取出口の固定溝を示す図１のＢ−Ｂ´断面の断面図である。図４はケースと蓋のスナップフィット形状を示す図１のＣ−Ｃ´断面の断面図である。可撓性のインク袋１はガスバリヤー性の向上のためにアルミ箔を２枚のフィルム、例えば外側をナイロンフィルム、内側をポリエチレンフィルムにより挟み込んだ、アルミラミネートフィルムによって構成されている。アルミラミネートフィルムを２枚重ね合わせ、周囲を熱溶着等によって接合している。接合面（斜線部）の１辺にインク袋１内のインクを外部に導出するインク取出口２を熱溶着等によって接合する。…略…。インク取出口２には、
ケース４にインク袋１を所定の位置に固定する
インク袋１内のインクを導出する管部２ｃと
弾性部材からなる取出口ゴム３が
インクを封止している
【００１１】
蓋６は
ケース４に固定される
（４）「【００１２】次に、インクカートリッジがインクジェット記録装置に装着される状態を図５によって説明する。図５は本発明のインクカートリッジとインクカートリッジのホルダーの概略斜視図である。
ホルダー９は、インクジェット記録装置に固定され
インクカートリッジ８を矢印Ｉ方向へ上下のフレーム１０の間に挿入すると、インクカートリッジ８の一対の機能リブ４ｃが、一対のレール１０ｂに案内され挿入される
インクカートリッジ８がさらに奥に入ると、針座フレーム（不図示）に保持された位置決め軸１６とインクカートリッジ８の位置決め穴４ａが係合しインクカートリッジ８の上下の位置が決まる
針座フレーム（不図示）に保持されたガイド軸１７とインクカートリッジ８のガイド穴４ｇが係合しインクカートリッジ８の左右の位置が決まる。位置決め軸１６とガイド軸１７の先端は、位置決め穴４ａとガイド穴４ｇにスムースに入っていくためにテーパ形状が施されている。又、この時供給針１５はインク取出口２に到達しないように配慮されている。すなわち、位置決め軸１６と位置決め穴４ａの係合・ガイド軸１７とガイド穴４ｇの係合は、供給針１５に対するインクカートリッジ８の位置決めをする機能を有している
さらに奥に入ると、
インクカートリッジ８は上下のフレーム１０に保持される
【００１３】次に、インクカートリッジを含む
インクジェット記録装置
インクカートリッジ８はホルダー９に
保持され
供給針１５によりインク袋１内のインクがホルダー９外に取り出され
ホルダー９には
供給チューブ１９が接続され
キャリッジに保持された印字ヘッド１８までインクを導いて
（５）「【００１７】
インクカートリッジ８がホルダー９に挿入されると、位置決め軸１６とインクカートリッジ８の位置決め穴４ａが係合しインクカートリッジ８の上下の位置が決まる。同時に、ガイド軸１７とインクカートリッジ８のガイド穴４ｇが係合し、インクカートリッジ８の左右の位置が決まる
位置決め軸１６と位置決め穴４ａの係合・ガイド軸１７とガイド穴４ｇの係合は、供給針１５に対するインクカートリッジ８の位置決めをする機能を有している。よって、一対のフレーム１０の位置精度を厳しくする必要はなくなる。そして、針座フレームの位置決め軸１６とガイド軸１７と供給針１５の互いの位置精度と、ケース４の位置決め穴４ａとガイド穴４ｇとインク取出口２の互いの位置精度を管理するだけでよくなる
（６）「【００２０】
【発明の効果】本発明によれば、供給針に対するインク取出口の位置精度において、多くの部品の部品精度と組立精度を厳しくして対応していた構成を、
ホルダーの位置決め軸・ガイド軸に係合する位置決め穴・ガイド穴をケースのインク取出口と同一面に設けたことで、供給針に対するインク取出口の位置精度に関係する部品が極力減り、関係する部品においてもラフな位置精度ですむようなインクカートリッジにできるという効果
（７）図１、図４及び図５の記載から、次のことが見て取れる。
　ア　インクカートリッジ８の本体は、ケース４と蓋６とから成っており、ケース４の内部にインク袋１を収容した後蓋６で蓋をしてインクカートリッジ８が構成されていること。
　イ　蓋６とインク取出口２が配置されたケース４の前壁とは交差する配置であること。
　ウ　ケース４の前壁の形状は略長方形であること。
　エ　位置決め穴４ａは前記前壁上のインク取出口２に対して略長方形の前壁の一対の短辺のうちの一方の短辺の側に配置されていること。
　オ　位置決め穴４ａはインクカートリッジ８をインクジェット記録装置のホルダ９の位置決め軸１６に沿って蓋６の外面に略平行な方向で且つ位置決め軸１６が蓋６と対向するように案内するようになっていること。
　カ　位置決め軸１６と位置決め穴４ａが係合すると、インクカートリッジ８の上下の位置が決まり、インクカートリッジ８の上下方向、すなわちケース４の前記前壁の長手方向の移動が規制されるとともに、インクカートリッジ８の左右方向、すなわちケース４の前壁の短手方向の移動も規制されること。
（８）上記（１）ないし（７）から、引用例２には、次の発明（以下「引用発明２」という。）が記載されているものと認められる。
「インクジェット記録装置に固定されたホルダーの供給針によりインクを取り出されるインクカートリッジであって、
　前記インクを封止しているインク袋を所定の位置に固定し、さらに蓋を固定し、蓋と該蓋と交差する略長方形の前壁を有するインクカートリッジ本体と、
　前記前壁に設けられたインク取出口と、
　前記前壁上の前記インク取出口に対して略長方形の前壁の一対の短辺のうちの一方の短辺の側に配置され、前記インクカートリッジを前記インクジェット記録装置のホルダの位置決め軸に沿って前記蓋の外面に略平行な方向で且つ前記位置決め軸が前記蓋と対向するように案内する位置決め穴であって、前記位置決め軸に係合しインクカートリッジの上下の位置を決め、インクカートリッジ本体の、前壁の長手方向についての移動が規制されるとともに、その短手方向についての移動も規制する形状の位置決め穴を備えているインクカートリッジ。」
　
３　当審拒絶理由に引用した本願の優先日前の平成５年１月２６日に頒布された刊行物である特開平５−１６３７９号公報（以下「引用例３」という。）には、図とともに次の事項が記載されている。
（１）「【請求項１】  ノズルよりインク滴を吐出して記録紙に記録を行うインクジェット記録装置のインクカートリッジにおいて、インクカートリッジの位置決め穴とガイド穴とに係合する位置決め軸及びガイド軸が、インクカートリッジのインク取出口に貫通する供給針と平行に設けられていることを特徴とするインクジェット記録装置のインクカートリッジ。
【請求項２】  前記位置決め穴と前記位置決め軸との係合及び前記ガイド穴と前記ガイド軸との係合が、前記インクカートリッジの位置決めになっていることを特徴とする請求項１記載のインクジェット記録装置のインクカートリッジ。」
（２）「【０００６】
【発明が解決しようとする課題】前述の提案例を評価したところ、インク取出口２に対する供給針１５の位置精度は、針座フレーム（不図示）に対する供給針１５の位置精度と、左右のフレーム１０に対する針座フレームの位置精度と、左右のフレーム１０のインクジェット記録装置に固定される互いの位置精度と、左右のフレーム１０に対するケース４の位置精度と、ケース４に対するインク取出口２の位置精度に影響される。したがって、多くの部品の部品精度と組立精度を厳しくしなければならないという問題点を有していた。
【０００７】そこで、本発明は上記のような問題を解決するもので、その目的とするところは、インク取出口２に対する供給針１５の位置精度に関係する部品数を極力減らし、関係する部品においてもラフな位置精度ですむような、部品コストと組立コストが安価なインクカートリッジのホルダーを提供することにある。
【０００８】
【課題を解決するための手段】本発明のインクカートリッジを保持するホルダーは、インクカートリッジの位置決め穴・ガイド穴と係合する位置決め軸・ガイド軸が、インクカートリッジのインク取出口に貫通する供給針と平行に設けられていることを特徴とする。又、前記位置決め穴・前記ガイド穴と前記位置決め軸・前記ガイド軸の係合が、インクカートリッジに対するインクジェット記録装置の位置決めになっていることを特徴とする。」
（３）「【０００９】
【実施例】インクカートリッジを図１〜図４によって説明する。図１はインクカートリッジを示す概略斜視図である。図２はインク取出口の舟型形状を示す図１のＡ−Ａ´断面の断面図である。図３はインク取出口の固定溝を示す図１のＢ−Ｂ´断面の断面図である。図４はケースと蓋のスナップフィット形状を示す図１のＣ−Ｃ´断面の断面図である。可撓性のインク袋１はガスバリヤー性の向上のためにアルミ箔を２枚のフィルム、例えば外側をナイロンフィルム、内側をポリエチレンフィルムにより挟み込んだ、アルミラミネートフィルムによって構成されている。アルミラミネートフィルムを２枚重ね合わせ、周囲を熱溶着等によって接合している。接合面（斜線部）の１辺にインク袋１内のインクを外部に導出するインク取出口２を熱溶着等によって接合する。…略…。インク取出口２には、ケース４にインク袋１を所定の位置に固定するために、固定溝２ａが設けられている。固定溝２ａはインク取出口２の外周部に円周状に配設されており、ケース４の嵌合部４ｂと嵌合して保持される。…略…。インク取出口２にはインク袋１内のインクを導出する管部２ｃと、反対側の端部にゴム等の弾性部材からなる取出口ゴム３が圧入・カシメ・接着等により設けられており、インクを封止している。…略…。
【００１０】蓋６は一対の角６ａと一対の穴部４ｄの嵌合、一対の爪６ｂと一対の凹部４ｅのスナップフィットによりケース４に固定される。…略…。」
（４）「【００１１】次に、インクカートリッジがインクジェット記録装置に装着される状態を図５によって説明する。図５は本発明のインクカートリッジのホルダーとインクカートリッジの概略斜視図である。ホルダー９は、インクジェット記録装置に固定され（不図示）、インクカートリッジ８の挿入を案内するとともに、所定位置にインクカートリッジ８を保持するための上下のフレーム１０が設けられている。…略…。インクカートリッジ８を矢印Ｉ方向へ上下のフレーム１０の間に挿入すると、インクカートリッジ８の一対の機能リブ４ｃが、一対のレール１０ｂに案内され挿入される。インクカートリッジ８の一対の機能リブ４ｃがロックアーム１０ａに到達し、ロックアーム１０ａを矢印Ｊ方向へ弾性変位させる。この時シャッター１２は、ロックアーム１０ａの溝部からはずれ、インクカートリッジ８に押されシャッター回転中心１２ａを中心に回動し、インクカートリッジ８の蓋６の上部まで逃げる（不図示）。インクカートリッジ８がさらに奥に入ると、針座フレーム（不図示）に保持された位置決め軸１６とインクカートリッジ８の位置決め穴４ａが係合しインクカートリッジ８の上下の位置が決まる。同時に、針座フレーム（不図示）に保持されたガイド軸１７とインクカートリッジ８のガイド穴４ｇが係合しインクカートリッジ８の左右の位置が決まる。供給針１５・位置決め軸１６・ガイド軸１７は、針座フレーム（不図示）に平行に設けられている。位置決め軸１６とガイド軸１７の先端は、位置決め穴４ａとガイド穴４ｇにスムースに入っていくためにテーパ形状が施されている。又、この時供給針１５はインク取出口２に到達しないように配慮されている。すなわち、位置決め軸１６と位置決め穴４ａの係合・ガイド軸１７とガイド穴４ｇの係合は、インクカートリッジ８のインク取出口２に対する供給針１５の位置決めをする機能を有している。インクカートリッジ８がさらに奥に入ると、上下のフレーム１０に保持された一対の板バネ１３（片側のみ図示）と一対の機能リブ４ｃが噛み合い、インクカートリッジ８は上下のフレーム１０に保持される。…略…。インクカートリッジ８が上下のフレーム１０に保持された時には、供給針１５は取出口ゴム３とインク取出口２を貫き、インク袋１内のインクに到達している。インクカートリッジ８を図示以外の方向でホルダー９に挿入すると、インクカートリッジ８の機能リブ４ｃや一対の誤挿入防止リブ４ｗが上下のフレーム１０の一対の誤挿入防止面１０ｃに接触し、ホルダー９に挿入できない。インクカートリッジ８がホルダー９から外れるときは、まず機能リブ４ｃと板バネ１３の噛み合いが外れ、機能リブ４ｃがロックアーム１０ａに到達し、ロックアーム１０ａを矢印Ｊ方向へ弾性変位させる。この時シャッター１２はシャッターバネ（不図示）によって、図示位置まで戻されシャッター１２はロックアーム１０ａの溝部と係合し、保持状態（ロック状態）になる。
【００１２】次に、インクカートリッジを含むインクジェット記録装置全体を図６によって説明する。図６はインクジェット記録装置全体のインク流路系（インクの流れ）を示す概略図である。インクカートリッジ８はホルダー９に検出板５の姿勢が略重力方向になるように保持され（図７）、供給針１５によりインク袋１内のインクがホルダー９外に取り出される。ホルダー９には、インク中のゴミや異物を濾過するフィルター２１が付属しており、供給チューブ１９が接続されている。供給チューブ１９は、図示していないキャリッジに保持された印字ヘッド１８までインクを導いている。…略…。」
（５）「【００１６】インクカートリッジ８がホルダー９に挿入されると、位置決め軸１６とインクカートリッジ８の位置決め穴４ａが係合しインクカートリッジ８の上下の位置が決まる。同時に、ガイド軸１７とインクカートリッジ８のガイド穴４ｇが係合し、インクカートリッジ８の左右の位置が決まる。この時、供給針１５はインク取出口２に到達しないように配慮されている。すなわち、位置決め軸１６と位置決め穴４ａの係合・ガイド軸１７とガイド穴４ｇの係合は、インクカートリッジ８のインク取出口２に対する供給針１５の位置決めをする機能を有している。よって、一対のフレーム１０の位置精度を厳しくする必要はなくなる。そして、針座フレームの位置決め軸１６とガイド軸１７と供給針１５の互いの位置精度と、ケース４の位置決め穴４ａとガイド穴４ｇとインク取出口２の互いの位置精度を管理するだけでよくなる。」
（６）「【００１９】
【発明の効果】本発明によれば、インク取出口に対する供給針の位置精度において、多くの部品の部品精度と組立精度を厳しくして対応していた構成を、カートリッジのインク取出口と同一面に付属した位置決め穴・ガイド穴に係合する位置決め軸・ガイド軸を供給針と平行に設けたことで、インク取出口に対する供給針の位置精度に関係する部品が極力減り、関係する部品においてもラフな位置精度ですみ、部品コストと組立コストが安価なインクカートリッジのホルダーにできるという効果を有する。」
（７）図１、図４及び図５の記載から、次のことが見て取れる。
　ア　インクカートリッジ８の本体は、ケース４と蓋６とから成っており、ケース４の内部にインク袋１を収容した後蓋６で蓋をしてインクカートリッジ８が構成されていること。
　イ　蓋６とインク取出口２が配置されたケース４の前壁とは交差する配置であること。
　ウ　ケース４の前壁の形状は略長方形であること。
　エ　位置決め穴４ａは前記前壁上のインク取出口２に対して略長方形の前壁の一対の短辺のうちの一方の短辺の側に配置されていること。
　オ　位置決め穴４ａはインクカートリッジ８をインクジェット記録装置のホルダ９の位置決め軸１６に沿って蓋６の外面に略平行な方向で且つ位置決め軸１６が蓋６と対向するように案内するようになっていること。
　カ　位置決め軸１６と位置決め穴４ａが係合すると、インクカートリッジ８の上下の位置が決まり、インクカートリッジ８の上下方向、すなわちケース４の前記前壁の長手方向の移動が規制されるとともに、インクカートリッジ８の左右方向、すなわちケース４の前壁の短手方向の移動も規制されること。
（８）上記（１）ないし（７）から、引用例３には、引用発明２（上記２（８）参照。）が記載されているものと認められる。
　
４　当審拒絶理由に引用した本願の優先日前の平成１４年２月１９日に頒布された刊行物である特表２００２−５０５２１２号公報（以下「引用例４」という。）には、図とともに次の事項が記載されている。
（１）「【０００３】
  
インクジェットプリンタ
インク供給容器
交換可能
【０００５】
  本願の対応米国出願の親出願において、ハウジングに搭載された
メモリ装置を有する、交換可能な
インク容器
プリンタのステーションに挿入すると、プリンタとメモリ装置との間で電気接続が確立される
メモリ装置は、プリンタが利用する情報を記憶しており
…略…
【０００８】
    【課題を解決するための手段】
  一新する各方法は、インク送出容器上に元の（original）各要素の電気的および機械的な再構成または交換を含む。それぞれの方法は、
インク送出容器上の現存するインク液出口、電気コネクタ、および情報記憶装置
…略…
【００１０】
  図１に、インク容器１２、プリントヘッド１４、および圧縮機１６等の加圧気体源を有する印字システム１０を示す。圧縮機１６は、管路１８でインク容器１２に接続されている。
インク容器１２によって、インク等の印をつける液体(marking fluid)１９が、管路２０を経由してプリントヘッド１４に供給される
インク容器１２は、インク１９を収容する液槽２２、外部シェル２４、およびシャシ２６を含む
液出口３０
管路２０に接続
…略…
【００１２】
  
インク容器１２はまた、複数の電気接点を含む
電気接続を行う
…略…
【００１４】
  図１も参照して、それぞれのインク容器１２内のインク１９が枯渇すると、容器１２は、新しい供給インクを収容している新しいインク容器１２と交換される。更に、インク容器１２は、異なるインク特性が必要とされる用途のためや異なる媒体上での使用のためのインク交換等、インク切れ状態以外の理由でプリンタのフレーム３８から取り外されるかもしれない。
交換したインク容器１２が、プリンタのフレーム３８に関連した対応する電気接点と信頼性の高い電気接続を形成する
重要である
（２）「【００１９】
  図５は、電気接触パッド５４の拡大図である。
接触パッド５４に隣接して、直立した案内部材７２がシャシ２６に搭載されている
電気接触パッド５４は２対の接触パッド７８を含んでおり、
体積感知回路３６のうちの一方と電気的に接続されている
パッド７８のそれぞれの対同士の間に間隔を置いて配置された４つの接触パッド８０は、情報記憶装置３４に電気的に接続されている。
【００２０】
  図６から、
案内部材７２が座標系６４のＺ軸に沿って延びているのがわかる。案内部材７２は、遠端がとがった先細になっている。案内部材７２は、重要な案内機能を果たし、インク容器１２をプリンタのフレーム３８に挿入する間に適切な電気接続が確実に行われるようにしている
（３）「【００２５】
  プラットフォーム１０２によって、電気コネクタ１００が支持され、プラットフォーム１０２から突出している。電気コネクタ１００は、略長方形であり、２つの側面(lateral sides)１０７、上面および下面、および遠端１０５を有する
。端１０５からは、複数の、弾力性を有しばねでバイアスされた電気接点１０４が突出している。
電気接点１０４は、薄いワイヤ状の部材であり、インク容器１２に関連した対応する電気接点５４（図３）とかみ合って、インク容器１２をプリンタ制御エレクトロニクス３２（図１）と電気的に接続する
案内部材７２は案内スロット１０６とかみ合って、接点１０４を接触パッド５４と適切に整列させる
（４）図３、図５及び図１０Ｂの記載から、体積感知回路３６のうちの一方と電気的に接続されている２対の接触パッド７８と、該２対の接触パッド７８の間に間隔を置いて配置された情報記憶装置３４に電気的に接続されている４つの接触パッド８０とからなる整列した接触パッド５４に隣接して、インク容器１２のシャシ２６に搭載されている直立した
案内部材７２は、前記整列した接触パッド５４の幅内に、その中心軸が位置している
　
５　当審拒絶理由に引用した本願の優先日前の平成１１年１１月２５日に頒布された刊行物である国際公開第９９／５９８２３号（以下「引用例５」という。）には、図とともに次の事項が記載されている。
（１）「この状態でレバー１１を閉めると、突起１４が下方に回動してインクカートリッジ４０がほぼ装填初期の姿勢を保ちながら下降し、インク供給口４４がインク供給針６の先端に接触する（第９図）。
　この状態でレバー１１を更に回転させると、カートリッジ４０は、インク供給口４４の真上を弾性部材２０押されるから、レバー１１の長さと、軸９と弾性部材２０との間の距離との比率で増幅された押圧力によりインク供給口４がインク供給針６に押し込まれる。そしてレバー１１が最後まで押し込まれると、第３図に示したようにレバー１１は、弾性部材２０を介してインクカートリッジ４０の蓋体４３をインク供給針側に常時弾圧した状態で鈎部１６に固定される。
　これにより、
インクカートリッジ４０は、そのインク供給口４４をインク供給針６に係合した状態
インク供給口４４がインク供給針６に
係合状態を維持する
　また、回路基板３１がインク供給口の
近傍
インク供給口４４がインク供給針６に規制される軌跡に可及的に平行に移動する
　一方、カートリッジ４０の装填時にガタつきが生じて
インク供給針６を中心とした回動運動が生じたとしても
回路基板３１はインク供給針６の近傍に位置するから
その回動量αが極めて小さい
　これらのことがあいまって、
回路基板３１は、図１１（ａ）乃至（ｃ）に示したように予め設定された経路を移動して
接点機構２４の接点２９、２９’に
接触し
半導体記憶手段６１
　ところで、インクカートリッジ４０、５０の装填が終了した段階では、第７図（ｄ）、（ｅ）に示した電極のうち、上段のものには接点機構２４の接点形成部材２９ａが、また下段のものには接点形成部材２９’ａが接触する。そして、
下段の中央に配置された電極６０−２
電極６０-２は、
インク供給口の中心線上に位置するため
接点形成部材２９’と確実に接触する
（２）第７図（ｃ）ないし（ｅ）に記載の電極６０-２はインク供給口の中心線上に位置すること（上記（１）参照。）に照らせば、第７図（ｃ）ないし（ｅ）、第１０図の記載から、
回路基板３１が配置されている面に対して垂直方向から見て、インク供給口４４の中心線は、インク供給口４４をインク供給針６に係合した状態でインク供給針６の近傍に位置する回路基板３１の下段に整列配置した電極６０-1、６０-2 の配列幅内にあるこ
　
第４　対比
　本願発明と引用発明１を対比する。
１　引用発明１の「インクジェット記録装置本体」、「インク」、「上壁」、「前壁」、「インクカートリッジ本体」、「半導体メモリーアレイ」、「インク針」及び「インクカートリッジ」は、それぞれ、本願発明の「記録装置」、「インク」、「第１の壁」、「前壁」、「インクカートリッジ本体」、「記憶素子」、「インク供給針」及び「インクカートリッジ」に相当する。
２　引用発明１の「インク供給部」は、「インク袋とインク導出管を介して接続されて」いて、「インク針が差し込まれてインクをインクジェット記録装置内に供給できるように」なっているから、インク供給口の機能を有しているといえる。よって、引用発明１の「インク供給部」は本願発明の「インク供給口」に相当する。
３　引用発明１において、「半導体メモリーアレイとインクジェット記録装置本体に用意されたコネクターとを電気的に接続させるための端子部」が、半導体メモリーアレイとインクジェット記録装置本体に用意されたコネクターとを電気的に接続させるためには、半導体メモリーアレイと端子部が少なくとも１つ有していることが明らかな端子とが電気的に接続していることが必要であるから、引用発明１の「半導体メモリーアレイとインクジェット記録装置本体に用意されたコネクターとを電気的に接続させるための端子部」は本願発明の「記憶素子と電気的に接続した少なくとも１つの接続電極を含む接続電極部」に相当する。
４　引用発明１の「インクカートリッジ本体」は、「外装たる筐体の内部にインクが封入収容されている可撓性のインク袋が収容され」、「インクジェット記録装置本体に接続されたときインクジェット記録装置本体に設置されたインク針が差し込まれてインクをインクジェット記録装置内に供給できるように」なっているから、「記録装置に供給するインクを収容し」ている点で、本願発明の「インクカートリッジ本体」と一致する。
５　引用発明１の「インクカートリッジ本体」は、「インクカートリッジ挿入方向先端面となる略長方形の前壁と、該前壁に平行な略長方形の後壁と、前記前壁及び後壁の上長辺を介して前記前壁及び後壁と交差する上壁と、前記前壁及び後壁の下長辺を介して前記前壁及び後壁と交差し且つ前記上壁に平行な下壁と、前記前壁及び後壁の短辺を介して前記前壁及び後壁と交差しかつ前記上壁及び下壁とも交差する互いに平行な２つの側壁から構成されている外装たる筐体を有し」ているところ、その「第１の壁（上壁）」と「前壁」とは「交差」しているから、引用発明１の「前壁」と本願発明の「前壁」とは「該第１の壁と交差する」ものである点で一致し、引用発明１の「インクカートリッジ本体」が有する外装たる筐体が前記「第１の壁（上壁）」及び「前壁」を備えているから、引用発明１の「インクカートリッジ本体」は「第１の壁（上壁）」及び「前壁」を有していることになる。よって、上記４に照らせば、引用発明１の「インクカートリッジ本体」と本願発明の「インクカートリッジ本体」とは「記録装置に供給するインクを収容し、第１の壁と該第１の壁と交差する前壁を有する」ものである点で一致する。
６　引用発明１において、「接続電極部（端子部）」は、「インクカートリッジ本体の筐体の上壁の上面又は該上壁に取りつけられた基板の上面であって、該上壁に平行な面に設けられ、前記上壁上の前後方向の中央よりも前側であって前記上壁上の前記後壁及び前記前壁の長手方向の中央よりも一方の端部側に位置する一部の場所に位置し」ているから、「前記インクカートリッジ本体の前記第１の壁の一部に設けられ」る点及び「前記第１の壁の部分に前記第１の壁に平行な面上に設けられ」ている点で、本願発明の「接続電極部」と一致する。
７　引用発明１において、インクカートリッジ本体は、「外装たる筐体を有し、該筐体の内部にインクが封入収容されている可撓性のインク袋が収容され、該インク袋とインク導出管を介して接続されているインク供給部が１つだけ前記前壁に設けられ、インクジェット記録装置本体に接続されたときインクジェット記録装置本体に設置されたインク針が差し込まれてインクをインクジェット記録装置内に供給できるように、前記インク供給部が前記インク針に対向する位置に配置されている」ものであるから、上記「インク供給口（インク供給部）」は、「インクカートリッジ本体」に「備え」られ、「前壁に設けられ」、「記録装置（インクジェット記録装置本体）」に設置された「インク供給針（インク針）」が「挿入され（差し込まれ）」る「１つだけ」のものである。よって、引用発明１の「インク供給口」と本願発明の「インク供給口」とは「前記前壁に設けられ、前記記録装置のインク供給針が挿入される１つだけの」ものである点及びインクカートリッジ本体に「備え」られる点で一致する。
８　引用発明１において、インクカートリッジ本体の外装たる筐体は、「インクカートリッジ挿入方向先端面となる略長方形の前壁と、該前壁に平行な略長方形の後壁と、前記前壁及び後壁の上長辺を介して前記前壁及び後壁と交差する上壁と、前記前壁及び後壁の下長辺を介して前記前壁及び後壁と交差し且つ前記上壁に平行な下壁と、前記前壁及び後壁の短辺を介して前記前壁及び後壁と交差しかつ前記上壁及び下壁とも交差する互いに平行な２つの側壁から構成されている」のであるから、前壁側からみたとき、前記前壁が有する一対の長辺である上長辺及び下長辺は、前記上壁（第１の壁）に平行で且つ前記インクカートリッジの挿入方向に垂直な面に平行な第１の方向に沿っており、かつ、前記前壁が有する一対であることが明らかな短辺は、前記上壁（第１の方向）に垂直な第２の方向に沿っていることが明らかであり、前記上壁（第１の壁）は、前記前壁が有する一対の長辺のうちの一方である上長辺と交差していることになる。してみると、引用発明１の「前壁」と本願発明の「前壁」とは「前壁側からみたとき、前記第１の壁に平行で且つ前記インクカートリッジの挿入方向に垂直な面に平行な第１の方向に沿った一対の長辺と、前記第１の方向に垂直な第２の方向に沿った一対の短辺と、を有して」いる点で一致し、引用発明１の「第１の壁（上壁）」と本願発明の「第１の壁」とは「前記前壁の一対の長辺のうち一方と交差してなる」点で一致する。
９　上記１ないし８からみて、本願発明と引用発明１とは、
「記録装置に供給するインクを収容し、第１の壁と該第１の壁と交差する前壁を有するインクカートリッジ本体と、
　前記インクカートリッジ本体の前記第１の壁の一部に設けられ、記憶素子と電気的に接続した少なくとも１つの接続電極を含む接続電極部と、
　前記前壁に設けられ、前記記録装置のインク供給針が挿入される１つだけのインク供給口と、を備え、
　前記前壁側からみたとき、前記前壁は、前記第１の壁に平行で且つ前記インクカートリッジの挿入方向に垂直な面に平行な第１の方向に沿った一対の長辺と、前記第１の方向に垂直な第２の方向に沿った一対の短辺と、を有しており、
　前記第１の壁は、前記前壁の一対の長辺のうち一方と交差してなる、インクカートリッジであって、
　前記接続電極部は、前記第１の壁の部分に前記第１の壁に平行な面上に設けられてインクカートリッジ。」の点で一致し、次の点で相違する。
　
相違点：
　本願発明においては、
　前記「インクカートリッジ」がさらに「前記前壁上に配置され、前記記録装置の位置決め部材に沿って前記インクカートリッジを案内する位置決め部」を備え、前記位置決め部は、前記記録装置の位置決め部材が挿入可能であり、前記接続電極部と略平行な方向で且つ前記記録装置の位置決め部材が前記接続電極部と対向するように前記インクカートリッジを案内可能に形成されており、前記位置決め部は、前記第１の方向及び前記第２の方向の規制を行うことができる形状であり、前記位置決め部は、前記インク供給部に対して前記一対の短辺のうち一方の短辺の側に設けられており、
　前記「接続電極部」が前記第１の壁に平行な面上に設けられている前記第１の壁の「部分」が、「前記位置決め部の近傍の部分」であり、
　前記第１の壁に対して垂直方向から見たときに、前記位置決め部の中心軸は、前記接続電極部の幅内にあるのに対して、
　引用発明１においては、
　前記「インクカートリッジ」はそのような位置決め部を備えていない点。
　
第５　判断
　上記相違点について検討する。
１　「インクジェット記録装置に固定されたホルダーの供給針によりインクを取り出されるインクカートリッジであって、
　前記インクを封止しているインク袋を所定の位置に固定し、さらに蓋を固定し、蓋と該蓋と交差する略長方形の前壁を有するインクカートリッジ本体と、
　前記前壁に設けられたインク取出口と、
　前記前壁上の前記インク取出口に対して略長方形の前壁の一対の短辺のうちの一方の短辺の側に配置され、前記インクカートリッジを前記インクジェット記録装置のホルダの位置決め軸に沿って前記蓋の外面に略平行な方向で且つ前記位置決め軸が前記蓋と対向するように案内する位置決め穴であって、前記位置決め軸に係合しインクカートリッジの上下の位置を決め、インクカートリッジ本体の、前壁の長手方向についての移動が規制されるとともに、その短手方向についての移動も規制する形状の位置決め穴を備えているインクカートリッジ。」である引用発明２は、本願の優先日前に周知である（以下「周知技術１」という。上記「第３　２」（８）及び上記「第３　３」（８）参照。）。
２　半導体記憶手段（引用例４の「メモリ装置」が相当する。）を有する交換可能なインクカートリッジ（引用例４の「インク容器」が相当する。）をプリンタ（引用例４の「インクジェット記録装置」が相当する。）に挿入してプリンタと半導体記憶手段との間で電気接続が確立されるようになっているインクカートリッジの複数の電極（引用例４の「電気接点」が相当する。）が整列された接続パッドに隣接（引用例５の「近傍」が相当する。）し、かつ、前記接続パッドの幅内（引用例５の「電極の配列幅内」が相当する。）に位置するように案内部材（引用例５の「インク供給針６に装填時の軌跡が規制されるインク供給口４４」が相当する。）を配置することは、引用例４及び引用例５にみられるように本願の優先日前に周知である（以下「周知技術２」という。）。
３　引用発明１は「インクカートリッジ本体がインクジェット記録装置本体のインクカートリッジ受入部に挿入されたとき、インクジェット記録装置本体に用意されたコネクターと、上壁上の前後方向の中央よりも前側であって上壁上の後壁及び前壁の長手方向の中央よりも一方の端部側に位置する一部の場所に位置する端子部との電気的接続が達成される」ものであるところ、引用発明１において、「前記コネクターと前記端子部との電気的接続」が確実に達成されるようにすることは、当業者に自明の課題（上記「第３　４」（１）【００１４】参照。）であるといえる。
４　したがって、その電気的接続（上記３参照。）が確実に達成されるように、引用発明１において、前記インクジェット記録装置本体のインクカートリッジ受入部（周知技術１の「記録装置のホルダ」に相当する。）に「位置決め軸（本願発明の「位置決め部材」に相当する。）」を設け、前記インクカートリッジを前記インクジェット記録装置本体のインクカートリッジ受入部の「位置決め軸」に沿って前記「第１の壁」の上面（外面）に略平行な方向で且つ前記「位置決め軸」が前記「第１の壁」と対向するように案内する位置決め穴であって、前記「位置決め軸」に係合し（本願発明の「位置決め部材が挿入可能」に相当する。）、前記インクカートリッジ本体の、前壁の長手方向についての移動が規制されるとともに、その短手方向についての移動も規制する形状の位置決め穴（本願発明の「位置決め部」に相当する。）を前記インクカートリッジ本体の略長方形の前壁上の「インク供給口（周知技術１の「インク取出口」に相当する。）」に対して略長方形の前壁の一対の短辺のうちの一方の短辺の側であって、かつ、前記「接続電極部（周知技術２の「電極が整列された接続パッド」に相当する。）」に隣接（本願発明の「近傍」に相当する。）し、かつ、前記「接続電極部」の幅内（周知技術２の「電極の配列幅内」に相当する。）に位置するように配置することは、当業者が引用例２ないし５の記載事項、周知技術１及び周知技術２に基づいて容易に想到し得たことである。
５　引用発明１において、前記「接続電極部」はインクカートリッジ本体の前記「第１の壁（上壁）」の上面又は前記「第１の壁」に取りつけられた基板の上面であって、前記「第１の壁」に平行な面に設けられ、前記「第１の壁」上の前後方向の中央よりも前側であって前記「第１の壁」上の前記後壁及び前記前壁の長手方向の中央よりも一方の端部側に位置する一部の場所に設けられているから、「前記インクカートリッジを前記インクジェット記録装置のインクカートリッジ受入部の位置決め軸に沿って前記第１の壁の上面に略平行な方向で且つ前記位置決め軸が前記第１の壁と対向するように案内する位置決め部（位置決め穴）」を、前記インクカートリッジ本体の略長方形の前壁上の「インク供給口」に対して略長方形の前壁の一対の短辺のうちの一方の短辺の側であって、かつ、前記「接続電極部」の近傍、かつ、前記「接続電極部」の幅内に位置するように配置する（上記４参照。）と、該「位置決め部」は、前記「接続電極部」と略平行な方向で且つ前記「記録装置」の「位置決め部材」が前記「接続電極部」と対向するように前記インクカートリッジを案内可能に形成されることになるとともに、前記「第１の壁」に対して垂直方向から見たときに、前記「位置決め部」の中心軸は、前記「接続電極部」の幅内にあることになるから、引用発明１において、上記相違点に係る本願発明の構成となすことは、当業者が、引用例２ないし５の記載事項、周知技術１及び周知技術２に基づいて容易になし得た程度のことである。
６　効果について
　本願発明の奏する効果は、引用発明１が奏する効果、周知技術１が奏する効果、周知技術２が奏する効果及び引用例２ないし５の記載事項から、当業者が予測できた程度のことである。
７　まとめ
　以上のことから、本願発明は、当業者が引用例１に記載された発明、引用例２ないし５の記載事項、周知技術１及び周知技術２に基づいて容易に発明をすることができたものである。
　
第６　むすび
　したがって、本願発明は、当業者が引用例１に記載された発明、引用例２ないし５の記載事項、周知技術１及び周知技術２に基づいて容易に発明をすることができたものであるから、特許法第２９条第２項の規定により特許を受けることができない。
  よって、結論のとおり審決する。